(57)【要約】【課題】利用者が外貨から内貨への両替を頻繁に繰り返えさなくても、両替手数料を抑えられる。【解決手段】価値媒体が保有する合計価値に対応する、第２の種類の通貨での金額を為替レートに基づいて算出する。価値媒体が保有する合計価値に対応する、第２の種類の通貨での金額を手数料レートに基づいて算出する。第３の算出部が算出した金額と、第４の算出部が算出した金額との合計金額を第２の種類の通貨で返金する。【選択図】図６
2020149198.tif 000002
【特許請求の範囲】
【請求項１】
第１の種類の通貨として使用される第１の価値、および前記第１の価値の使用を担保する第２の価値を保有する価値媒体を処理する価値媒体処理装置であって、
第１の種類の通貨と前記第１の種類とは異なる第２の種類の通貨との間における両替に対して設定されている為替レートに基づき、前記第２の種類の通貨での入金金額に対応する前記第１の価値を算出する第１の算出部、
前記第１の種類の通貨と前記第２の種類の通貨との間における両替に対して設定されている手数料レートに基づき、前記第２の種類の通貨での入金金額に対応する前記第２の価値を算出する第２の算出部、および、
前記価値媒体が保有する前記第１の価値を、前記第１の算出部が算出した前記第１の価値を加算した値に更新し、前記価値媒体が保有する前記第２の価値を、前記第２の算出部が算出した前記第２の価値を加算した値に更新する更新部、
を有する第１ユニットと、
前記価値媒体が保有する合計価値に対応する、前記第２の種類の通貨での金額を前記為替レートに基づいて算出する第３の算出部、
前記価値媒体が保有する前記合計価値に対応する、前記第２の種類の通貨での金額を前記手数料レートに基づいて算出する第４の算出部、および、
前記第３の算出部が算出した金額と、前記第４の算出部が算出した金額との合計金額を前記第２の種類の通貨で返金する返金部、
を有する第２ユニットと、
を備えた価値媒体処理装置。
【請求項２】
前記価値媒体は、当該価値媒体の保証金に相当する第３の価値を保有し、
前記第１の算出部、前記第２の算出部、および前記更新部を有し、
前記価値媒体の発行時に、発行する前記価値媒体が保有する前記第１の価値を前記第１の算出部が算出した前記第１の価値から前記第３の価値を差し引いた価値にし、当該価値媒体が保有する前記第２の価値を前記第２の算出部が算出した前記第２の価値にし、さらに、当該価値媒体が保有する前記第３の価値を前記保証金に相当する価値にする、
第３ユニットを備えた、請求項１に記載の価値媒体処理装置。
【請求項３】
前記第２ユニットは、前記価値媒体の回収時に、前記価値媒体が保有する合計価値として、前記第１の価値、前記第２の価値、および前記第３の価値の総和とする、
請求項２に記載の価値媒体処理装置。
【請求項４】
取引金額を前記価値媒体が記憶している前記第１の価値で精算する精算部を備え、
前記精算部は、前記価値媒体が保有している前記第１の価値を前記取引金額に応じて減算し、且つ前記価値媒体が保有している前記第２の価値を前記取引金額、および前記手数料レートに基づいて減算する、
第４ユニットを備えた、請求項１〜３のいずれかに記載の価値媒体処理装置。
【請求項５】
第１の種類の通貨として使用される第１の価値、および前記第１の価値の使用を担保する第２の価値を保有する価値媒体を処理する価値媒体処理方法であって、
第１の種類の通貨と前記第１の種類とは異なる第２の種類の通貨との間における両替に対して設定されている為替レートに基づき、前記第２の種類の通貨での入金金額に対応する前記第１の価値を算出する第１の算出ステップ、
前記第１の種類の通貨と前記第２の種類の通貨との間における両替に対して設定されている手数料レートに基づき、前記第２の種類の通貨での入金金額に対応する前記第２の価値を算出する第２の算出ステップ、
前記価値媒体が保有する前記第１の価値を、前記第１の算出ステップで算出した前記第１の価値を加算した値に更新し、前記価値媒体が保有する前記第２の価値を、前記第２の算出ステップで算出した前記第２の価値を加算した値に更新する更新ステップ、
前記価値媒体が保有する合計価値に対応する、前記第２の種類の通貨での金額を前記為替レートに基づいて算出する第３の算出ステップ、
前記価値媒体が保有する前記合計価値に対応する、前記第２の種類の通貨での金額を前記手数料レートに基づいて算出する第４の算出ステップ、および、
前記第３の算出ステップで算出した金額と、前記第４の算出ステップで算出した金額との合計金額を前記第２の種類の通貨で返金する返金ステップ、
を備えた価値媒体処理方法。
【請求項６】
第１の種類の通貨として使用される第１の価値、および前記第１の価値の使用を担保する第２の価値を保有する価値媒体を処理する価値媒体処理プログラムであって、
第１の種類の通貨と前記第１の種類とは異なる第２の種類の通貨との間における両替に対して設定されている為替レートに基づき、前記第２の種類の通貨での入金金額に対応する前記第１の価値を算出する第１の算出ステップ、
前記第１の種類の通貨と前記第２の種類の通貨との間における両替に対して設定されている手数料レートに基づき、前記第２の種類の通貨での入金金額に対応する前記第２の価値を算出する第２の算出ステップ、
前記価値媒体が保有する前記第１の価値を、前記第１の算出ステップで算出した前記第１の価値を加算した値に更新し、前記価値媒体が保有する前記第２の価値を、前記第２の算出ステップで算出した前記第２の価値を加算した値に更新する更新ステップ、
前記価値媒体が保有する合計価値に対応する、前記第２の種類の通貨での金額を前記為替レートに基づいて算出する第３の算出ステップ、
前記価値媒体が保有する前記合計価値に対応する、前記第２の種類の通貨での金額を前記手数料レートに基づいて算出する第４の算出ステップ、および、
前記第３の算出ステップで算出した金額と、前記第４の算出ステップで算出した金額との合計金額を前記第２の種類の通貨で返金する返金ステップ、
をコンピュータに実行させる価値媒体処理プログラム。
【発明の詳細な説明】
【技術分野】
【０００１】
この発明は、他国の通貨である外貨を取引金額の精算に使用する技術に関する。
【背景技術】
【０００２】
従来、多くの場合、取引（サービスの提供を含む）にかかる取引金額の精算は、内貨（取引する国の通貨）で行われている。このため、観光、ビジネス等の目的で外国に赴いた来訪者（以下、単に来訪者と言う。）は、取引金額の精算が外貨で行えないことから、外貨を内貨に両替していた。
【０００３】
また、来訪者が、外貨を内貨に両替する手間をかけずに、取引金額の精算が行える精算システムもある（特許文献１等参照）。この特許文献１の精算システムは、取引金額の精算を、外貨による入金を受け付け、入金された外貨を為替レートに基づいて内貨の金額に換算することによって行っている。
【０００４】
また、特許文献１のシステムは、取引金額の精算時に、来訪者に返金するつり銭を、内貨の電子マネーでカード等の記憶媒体に記憶させる構成を有している。
【先行技術文献】
【特許文献】
【０００５】
【特許文献１】特開２０１８−    ５７９８号公報
【発明の概要】
【発明が解決しようとする課題】
【０００６】
しかしながら、為替レートには、両替にかかる手数料（両替手数料）が含まれている。ここでは説明を容易にするため、ドルから円の為替レートが、９９円／ドルであり、円からドルへの為替レートが１０１円／ドルであるとする。両替手数料は、金額の１％である。この場合、１ドルの実質的な価値は、１００円とみなされる。したがって、利用者は、ドルを円に両替するときに、１ドル当たり１円の両替手数料を支払う。また、利用者は、円をドルに両替するときにも、１ドル当たり１円の両替手数料を支払う。
【０００７】
来訪者は、来訪時に所持している外貨を内貨に両替し、帰国時に使用しなかった内貨を外貨に両替する。来訪者は、使用しなかった内貨の金額が高くなるにつれて、支払う両替手数料が高くなる。利用者は、必要に応じて必要な金額だけを内貨に両替することによって、両替手数料を抑えられる。この場合、利用者は、外貨から内貨への両替を頻繁に繰り返すことになるので、手間がかかり面倒であった。
【０００８】
なお、特許文献１に記載された構成であっても、記憶媒体に記憶させた内貨の電子マネーを外貨に両替するときに、この電子マネーに相当する金額については、内貨に両替したときの手数料、および外貨に両替したときの手数料を利用者が支払うことになる。
【０００９】
この発明の目的は、利用者が外貨から内貨への両替を頻繁に繰り返えさなくても、両替手数料が抑えられる技術を提供することにある。
【課題を解決するための手段】
【００１０】
この発明の価値媒体処理装置は、上記目的を達成するため以下に示すように構成している。
【００１１】
この価値媒体処理装置は、第１のユニットと、第２のユニットとを有している。価値媒体処理装置は、第１のユニットと、第２のユニットとを、同じ筐体に組み込んだ構成であってもよいし、それぞれを異なる筐体に組み込んだ構成であってもよい。また、第１のユニットと、第２のユニットとは、接続されていてもよいし、接続されていなくてもよい（独立していてもよい。）。この価値媒体処理装置は、第１の種類の通貨として使用される第１の価値、および第１の価値の使用を担保する第２の価値を保有する価値媒体を処理する。
【００１２】
第１ユニットは、第１の算出部、第２の算出部、および更新部を有する。第１の算出部は、第１の種類の通貨と、第１の種類とは異なる第２の種類の通貨との間における両替に対して設定されている為替レートに基づき、第２の種類の通貨での入金金額に対応する第１の価値（例えば、金額）を算出する。ここで算出される第１の価値は、第２の種類の通貨での入金金額に対して、両替手数料を差し引いた金額に相当する。
【００１３】
また、第２の算出部は、第１の種類の通貨と第２の種類の通貨との間における両替に対して設定されている手数料レートに基づき、第２の種類の通貨での入金金額に対応する第２の価値（例えば、金額）を算出する。ここで算出される第２の価値は、第２の種類の通貨での入金金額に対する両替手数料に相当する。すなわち、第２の種類の通貨での入金金額の実質的な価値は、第１の価値と第２の価値とを加算した合計である。
【００１４】
更新部は、価値媒体が保有する第１の価値を、第１の算出部が算出した第１の価値を加算した値に更新し、価値媒体が保有する第２の価値を、第２の算出部が算出した第２の価値を加算した値に更新する。したがって、価値媒体は、両替手数料が差し引かれた価値と、両替手数料に相当する価値とを有する。すなわち、価値媒体は、第２の種類の通貨での入金金額に対して、両替手数料が差し引かれていない価値を有する。
【００１５】
また、第２ユニットは、第３の算出部、第４の算出部、および返金部を有する。
【００１６】
第３の算出部は、価値媒体が保有する合計価値に対応する、第２の種類の通貨での金額を為替レートに基づいて算出する。第４の算出部は、価値媒体が保有する合計価値に対応する、第２の種類の通貨での金額を手数料レートに基づいて算出する。返金部は、第３の算出部が算出した金額と、第４の算出部が算出した金額との合計金額を第２の種類の通貨で返金する。すなわち、返金部は、価値媒体が保有している合計価値を、両替手数料を差し引くことなく第２の種類の通貨で返金する。
【００１７】
したがって、利用者は、第２の種類の通貨での入金金額が、実際に使用した金額よりも高額であっても、使用せずに残った第１の価値については、内貨への両替、および外貨にもどす両替にかかる手数料を支払うことなく、第２の種類の通貨で受け取ることができる。これにより、利用者は、両替手数料を抑えるために、外貨から内貨への両替を頻繁に繰り返えさなくてもよく、利便性の向上を図ることができる。
【００１８】
また、価値媒体が、当該価値媒体の保証金に相当する第３の価値を保有する構成にしてもよい。この場合、第１の算出部、第２の算出部、および更新部を有する第３ユニットを追加的に設け、更新部を、価値媒体の発行時に、発行する価値媒体が保有する第１の価値を第１の算出部が算出した第１の価値から第３の価値を差し引いた価値にし、当該価値媒体が保有する第２の価値を第２の算出部が算出した第２の価値にし、さらに、当該価値媒体が保有する第３の価値を保証金に相当する価値にする構成にすればよい。
【００１９】
この構成によれば、利用者に発行する価値媒体にかかるコストを抑えることができる。
【００２０】
また、第２ユニットは、価値媒体の回収時に、前記価値媒体が保有する合計価値として、前記第１の価値、前記第２の価値、および前記第３の価値の総和にしてもよい。このように構成すれば、利用者からの価値媒体の回収率を向上できる。したがって、利用者から回収した価値媒体を別の利用者に対して発行する、価値媒体のリサイクルが効率的に行える。これにより、価値媒体の発行にかかるコストを利用者に負担させずに、運用コストの低減を図ることができる。特に、価値媒体が、繰り返し利用できるＩＣカード等である場合、運用コストを低減できる。
【００２１】
また、取引金額を価値媒体が記憶している第１の価値で精算する精算部を備え、この精算部が、価値媒体が保有している第１の価値を取引金額に応じて減算し、且つ価値媒体が保有している第２の価値を取引金額、および手数料レートに基づいて減算する第４ユニットを追加的に向けてもよい。
【００２２】
このようにすれば、取引金額の精算に使用された価値については、利用者から両替手数料を徴収することができる。
【発明の効果】
【００２３】
この発明によれば、利用者が外貨から内貨への両替を頻繁に繰り返えさなくても、両替手数料が抑えられ、利用者の利便性の向上が図れる。
【図面の簡単な説明】
【００２４】
【図１】この例にかかる価値媒体処理装置を用いた外貨処理システムを説明する概略図である。
【図２】価値媒体のＩＣメモリに設けられている記憶領域を説明する図である。
【図３】媒体発行機の主要部の構成を示す図である。
【図４】チャージ処理機の主要部の構成を示す図である。
【図５】ＰＯＳ端末の主要部の構成を示す図である。
【図６】媒体回収機の主要部の構成を示す図である。
【図７】媒体発行機における発行処理を示すフローチャートである。
【図８】チャージ処理機におけるチャージ処理を示すフローチャートである。
【図９】ＰＯＳ端末における取引処理を示すフローチャートである。
【図１０】媒体回収機における回収処理を示すフローチャートである。
【図１１】変形例にかかる価値媒体処理装置を用いた外貨処理システムを説明する概略図である。
【発明を実施するための形態】
【００２５】
以下、この発明の実施形態について説明する。
【００２６】
＜１．適用例＞
図１は、この例にかかる価値媒体処理装置を用いた外貨処理システムを説明する概略図である。この外貨処理システム１００は、媒体発行機１、チャージ処理機２、ＰＯＳ端末３、および媒体回収機４を有する。図１では、媒体発行機１、チャージ処理機２、ＰＯＳ端末３、および媒体回収機４をそれぞれ１台ずつしか図示していないが、それぞれの機器は、１台であってもよいし、複数台であってもよい。また、媒体発行機１、チャージ処理機２、ＰＯＳ端末３、および媒体回収機４のそれぞれは、他の機器の台数に関係なく、その台数を決めてよい。また、媒体発行機１、チャージ処理機２、ＰＯＳ端末３、および媒体回収機４は、ネットワークによって他の機器と接続された環境で使用されてもよいし、他の機器と接続されていないスタンドアローンの環境で使用されてもよい。媒体発行機１が、この発明で言う第３ユニットに相当する。チャージ処理機２が、この発明で言う第１ユニットに相当する。ＰＯＳ端末３が、この発明で言う第４ユニットに相当する。媒体回収機４が、この発明で言う第２ユニットに相当する。
【００２７】
図１に示す、媒体発行機１、チャージ処理機２、ＰＯＳ端末３、および媒体回収機４は、価値媒体５を処理する機器である。この例では、価値媒体５は、ＩＣメモリ５０を有するＩＣカードである。価値媒体５は、無線通信機能を有する非接触式のＩＣカードである。
【００２８】
なお、価値媒体５は、表面にＩＣ接点が形成された接触式のＩＣカードであってもよい。
【００２９】
価値媒体５のＩＣメモリ５０には、図２に示すように、使用可能金額記憶領域５１、手数料金額記憶領域５２、デポジット記憶領域５３、ポイント記憶領域５４、通貨記憶領域５５、およびカード番号記憶領域５６が設けられている。使用可能金額記憶領域５１は、その時点において、取引金額の精算に使用できる金額（内貨の金額）を記憶する。この使用可能金額記憶領域５１が記憶する金額がこの発明で言う第１の価値に相当する。
【００３０】
手数料金額記憶領域５２は、外貨から内貨への両替にかかる手数料（以下、両替手数料と言う。）を事前に確保しておくために設けられている。手数料金額記憶領域５２は、その時点において、確保されている両替手数料の金額（内貨の金額）を記憶する。この手数料金額記憶領域５２が記憶する金額がこの発明で言う第２の価値に相当する。
【００３１】
デポジット記憶領域５３は、この価値媒体５の保証金の金額（内貨の金額）を記憶する。デポジット記憶領域５３が記憶する金額がこの発明で言う第３の価値に相当する。保証金の金額は、予め定められている。
【００３２】
ポイント記憶領域５４は、店舗等で行われている顧客サービスの１つである公知のポイントサービスによって付与されたポイント数を記憶する。
【００３３】
通貨記憶領域５５は、外貨の種類（ドル、ユーロ等）を記憶する。カード番号記憶領域５６は、この価値媒体５のカード番号を記憶する。価値媒体５は、カード番号によって識別される。
【００３４】
図１に戻って、媒体発行機１は、利用者に対して価値媒体５を発行する発行処理を行う。チャージ処理機２は、入金された外貨の金額に応じて、取引に使用できる金額を価値媒体５に追加（チャージ）するチャージ処理を行う。ＰＯＳ端末３は、価値媒体５の使用可能金額記憶領域５１に記憶している金額で、取引金額を精算する取引処理を行う。媒体回収機４は、その時点において価値媒体５が保有している金額を、通貨記憶領域５５に記憶している種類の外貨で返金し、価値媒体５を回収する回収処理を行う。
【００３５】
この外貨処理システムは、外国からの来訪者（以下、単に来訪者と言う。）が、外貨から内貨への両替を頻繁に繰り返えさなくても、両替手数料が抑えられ、利用者の利便性の向上を図るものである。
【００３６】
利用者は、外貨を媒体発行機１に入金することによって、発行された価値媒体５を受け取る。媒体発行機１は、入金された外貨の金額（入金金額）を、設定されている為替レート（外貨から内貨への為替レート）に基づき、内貨の金額（両替金額）に換算する。また、入金金額に応じた両替手数料を設定されている手数料レート（外貨から内貨への手数料レート）に基づき算出する。媒体発行機１は、利用者に対して価値媒体５を放出する。
【００３７】
放出された価値媒体５の使用可能金額記憶領域５１に記憶されている金額は、為替レートに基づいて算出した両替金額から価値媒体５の保証金の金額を差し引いた金額（両替金額−保証金の金額）である。また、手数料金額記憶領域５２に記憶されている金額は、手数料レートに基づき算出した両替手数料の金額である。また、デポジット記憶領域５３に記憶されている金額は、価値媒体５の保証金の金額である。また、ポイント記憶領域５４に記憶されているポイント数は、この時点では０である。また、今回入金された外貨の種類（ドル、ユーロ等）が、通貨記憶領域５５に記憶され、この価値媒体５を識別するカード番号が、カード番号記憶領域５６に記憶される。
【００３８】
なお、価値媒体５の保証金は、０にしてもよい。すなわち、実質的には、価値媒体５の保証金を設けないシステムであってもよい。
【００３９】
利用者は、商品の購入、またはサービスの提供にかかる取引金額の精算をＰＯＳ端末３で行う。ＰＯＳ端末３は、価値媒体５の使用可能金額記憶領域５１に記憶されている金額、またはポイント記憶領域５４に記憶されているポイント数の一方、または両方で取引金額を精算する。ＰＯＳ端末３は、価値媒体５の使用可能金額記憶領域５１に記憶されている金額を、取引金額の精算に使用された金額を減じた金額に更新する。また、ＰＯＳ端末３は、価値媒体５のポイント記憶領域５４に記憶されているポイント数を、取引金額の精算に使用されたポイント数を減じたポイント数に更新する。また、ＰＯＳ端末３は、価値媒体５のポイント記憶領域５４に記憶されているポイント数を、今回の取引金額等に応じて付与するポイント数を加算したポイント数に更新する。さらに、ＰＯＳ端末３は、価値媒体５の使用可能金額記憶領域５１に対して減じた金額（取引金額の精算に使用された金額）に応じた両替手数料を手数料レートに基づいて算出し、手数料金額記憶領域５２に記憶している金額を、算出した両替手数料を減じた金額に更新する。すなわち、ＰＯＳ端末３は、取引金額の精算に使用された金額については、価値媒体５が保有している価値から両替手数料を差し引く。
【００４０】
また、利用者は、価値媒体５の使用可能金額記憶領域５１に記憶されている金額をチャージ処理機２で増額することができる。チャージ処理機２は、外貨の入金金額に応じた両替金額、および両替手数料を算出する。チャージ処理機２は、受け付けた価値媒体５の使用可能金額記憶領域５１に記憶されている金額を、算出した両替金額を加算した金額に更新する。また、チャージ処理機２は、受け付けた価値媒体５の手数料金額記憶領域５２に記憶されている金額を、算出した両替手数料を加算した金額に更新する。
【００４１】
なお、チャージ処理機２で入金できる外貨は、通貨記憶領域５５に記憶している種類の外貨である。
【００４２】
また、上記の説明から明らかなように、チャージ処理機２におけるチャージ機能を媒体発行機１に設けることも可能である。この場合、媒体発行機１において、利用者が価値媒体５の発行を希望しているのか、価値媒体５に対するチャージを希望しているのかを選択させる構成にすればよい。
【００４３】
また、媒体回収機４は、価値媒体５を受け付けると、その価値媒体５がその時点で保有している価値を算出する。具体的には、使用可能金額記憶領域５１に記憶している金額と、手数料金額記憶領域５２に記憶している金額と、デポジット記憶領域５３に記憶している金額との合計金額を、価値媒体５が保有している価値として算出する。媒体回収機４は、価値媒体５が保有している価値に相当する外貨の金額（返却金額）を設定されている為替レート（内貨から外貨への為替レート）を用いて算出する。外貨の種類は、通貨記憶領域５５に記憶している外貨の種類である。ここで算出される返金金額は、内貨から外貨への両替における両替手数料が差し引かれた金額である。また、媒体回収機４は、返金金額に相当する両替手数料を設定されている手数料レート（内貨から外貨への手数料レート）を用いて算出する。ここで算出される両替手数料は、外貨の金額である。媒体回収機４は、返却金額と両替手数料とを加算した金額の外貨を利用者に返金する。また、媒体回収機４は、受け付けた価値媒体５を回収する。
【００４４】
このように、利用者は、内貨を必要としなくなったとき、価値媒体５の使用可能金額記憶領域５１に記憶されている金額（残金）については、両替手数料を差し引かれることなく、外貨で受け取れる。また、利用者は、内貨から外貨に両替する手数料が差し引かれることがない。したがって、利用者は、外貨から内貨への両替を頻繁に繰り返えさなくても、両替手数料が抑えられる。
【００４５】
また、上記の説明から明らかなように、媒体回収機４における媒体回収機能を、媒体発行機１、またはチャージ処理機２の一方、またはその両方に設けることも可能である。この場合、媒体発行機１、またはチャージ処理機２において、利用者が希望している処理を選択させる構成にすればよい。
【００４６】
また、上記の説明から明らかなように、チャージ処理機２におけるチャージ機能、および媒体回収機４における媒体回収機能を媒体発行機１に設けることも可能である。この場合、媒体発行機１において、利用者が価値媒体５の発行を希望しているのか、価値媒体５に対するチャージを希望しているのか、または価値媒体５の回収を希望しているのかを選択させる構成にすればよい。
【００４７】
＜２．構成例＞
図３は、媒体発行機の主要部の構成を示す図である。媒体発行機１は、制御ユニット１１と、表示・操作部１２と、入金部１３と、近距離無線通信部１４と、発行部１５とを備えている。
【００４８】
制御ユニット１１は、媒体発行機１本体各部の動作を制御する。また、制御ユニット１１は、両替金額算出部１１ａ、手数料金額算出部１１ｂ、および更新部１１ｃを有している。制御ユニット１１が有する、両替金額算出部１１ａ、手数料金額算出部１１ｂ、および更新部１１ｃについては後述する。
【００４９】
表示・操作部１２は、利用者に対する操作案内等の画面を表示器に表示するとともに、媒体発行機１本体に対する利用者の入力操作を受け付ける。
【００５０】
入金部１３は、外貨の投入（入金）を受け付ける。この例では、外貨は、ドル、ユーロ等である。入金部１３は、入金された外貨の真偽、金種を識別する貨幣識別部を有し、投入された外貨の入金金額を算定する。
【００５１】
近距離無線通信部１４は、価値媒体５との間で無線通信を行う。近距離無線通信部１４は、アンテナから数ｃｍ（１〜２ｃｍ）の範囲が無線通信エリアである。近距離無線通信部１４は、価値媒体５に対して、ＩＣメモリ５０に記憶している各種データの読取要求、および書込指示（更新指示）を送信する。また、近距離無線通信部１４は、価値媒体５から、ＩＣメモリ５０に記憶している各種データの受信、および書込完了（更新完了）を受信する。
【００５２】
発行部１５は、未発行の価値媒体５を収納ボックスに収納している。発行部１５は、収納ボックスに収納している価値媒体５を利用者に発行する。
【００５３】
次に、制御ユニット１１が有する、両替金額算出部１１ａ、手数料金額算出部１１ｂ、および更新部１１ｃについて説明する。
【００５４】
両替金額算出部１１ａは、入金部１３が算定した外貨の入金金額に相当する内貨の金額を為替レートに基づいて算出する。制御ユニット１１は、外貨の種類毎に、為替レートをメモリ（不図示）に記憶している。
【００５５】
手数料金額算出部１１ｂは、入金部１３が算定した外貨の入金金額に対する両替手数料の金額を手数料レートに基づいて算出する。制御ユニット１１は、外貨の種類毎に、手数料レートをメモリ（不図示）に記憶している。
【００５６】
更新部１１ｃは、近距離無線通信部１４を制御して、価値媒体５のＩＣメモリ５０に記憶している各種データの更新を制御する。
【００５７】
媒体発行機１の制御ユニット１１は、ハードウェアＣＰＵ、メモリ、その他の電子回路によって構成されている。ハードウェアＣＰＵが、媒体発行処理プログラムを実行したときに、両替金額算出部１１ａ、手数料金額算出部１１ｂ、および更新部１１ｃとして動作する。また、メモリは、この媒体発行処理プログラムを展開する領域や、この媒体発行処理プログラムの実行時に生じたデータ等を一時記憶する領域を有している。制御ユニット１１は、ハードウェアＣＰＵ、メモリ等を一体化したＬＳＩであってもよい。
【００５８】
図４は、チャージ処理機の主要部の構成を示す図である。チャージ処理機２は、制御ユニット２１と、表示・操作部２２と、入金部２３と、近距離無線通信部２４とを備えている。制御ユニット２１は、チャージ処理機２本体各部の動作を制御する。また、制御ユニット２１は、両替金額算出部２１ａ、手数料金額算出部２１ｂ、および更新部２１ｃを有している。
【００５９】
チャージ処理機２は、上記した媒体発行機１とハードウェア面で構成を比較すると、発行部１５を備えていない点で相違する。チャージ処理機２が備える、表示・操作部２２、入金部２３、および近距離無線通信部２４は、上記した媒体発行機１の表示・操作部１２、入金部１３、および近距離無線通信部１４と同様の構成であるので、ここでは説明を省略する。媒体発行機１と、チャージ処理機２とのソフトウェア面での比較は後述する。
【００６０】
図５は、ＰＯＳ端末の主要部の構成を示す図である。ＰＯＳ端末３は、制御ユニット３１と、操作部３２と、表示部３３と、印字部３４と、近距離無線通信部３５とを備えている。
【００６１】
制御ユニット３１は、ＰＯＳ端末３本体各部の動作を制御し、顧客との取引を処理する。制御ユニット３１は、商品登録処理部３１ａ、および精算処理部３１ｂを有している。商品登録処理部３１ａは、取引する商品を登録する。商品登録処理部３１ａは、図示していないＰＬＵ（Price Look Up）ファイルを参照し、登録する商品の種別、商品名、価格等の商品データを取得する。精算処理部３１ｂは、取引金額を精算する。
【００６２】
このＰＯＳ端末３の制御ユニット３１は、ハードウェアＣＰＵ、メモリ、その他の電子回路によって構成されている。ハードウェアＣＰＵが、取引処理プログラムを実行することにより、商品登録処理部３１ａ、および精算処理部３１ｂとして動作する。また、メモリは、取引処理プログラムを展開する領域や、この取引処理プログラムの実行時に生じたデータ等を一時記憶する領域を有している。制御ユニット３１は、ハードウェアＣＰＵ、メモリ等を一体化したＬＳＩであってもよい。
【００６３】
上述したＰＬＵファイルは、制御ユニット３１に設けられているメモリに記憶されていてもよいし、図示していないＰＬＵサーバに記憶されていてもよい。ＰＬＵファイルをＰＬＵサーバに記憶させる構成である場合、ＰＯＳ端末３は、有線または無線でＰＬＵサーバに接続される。また、ＰＬＵサーバに接続されるＰＯＳ端末３は、１台に限らず、複数台であってもよい。
【００６４】
操作部３２は、商品の登録時に操作する商品登録キー等を有するキー入力デバイス、商品に付されている商品コード（バーコード）を読み取るバーコードリーダ等の入力デバイスを有する。
【００６５】
表示部３３は、表示器を有し、取引金額等を表示器に表示する。印字部３４は、プリンタを有し、このプリンタで取引内容を印字したレシートを発行する。近距離無線通信部３５は、上記した媒体発行機１の近距離無線通信部１４と同様の構成である。
【００６６】
図６は、媒体回収機の主要部の構成を示す図である。媒体回収機４は、制御ユニット４１と、表示・操作部４２と、出金部４３と、近距離無線通信部４４と、回収部４５とを備えている。
【００６７】
制御ユニット４１は、媒体回収機４本体各部の動作を制御する。また、制御ユニット４１は、残価値返金額算出部４１ａ、手数料金額算出部４１ｂ、および返金処理部４１ｃを有している。制御ユニット１１が有する、残価値返金額算出部４１ａ、手数料金額算出部４１ｂ、および返金処理部４１ｃについては後述する。
【００６８】
表示・操作部４２は、利用者に対する操作案内等の画面を表示器に表示するとともに、媒体回収機４本体に対する利用者の入力操作を受け付ける。
【００６９】
出金部４３は、利用者に対して、価値媒体５に記憶されている価値に応じた金額の外貨を放出（出金）する。
【００７０】
近距離無線通信部４４は、上記した媒体発行機１の近距離無線通信部１４と同様の構成である。
【００７１】
回収部４５は、価値媒体５を収納する回収ボックスを有している。回収部４５は、本体に投入された価値媒体５を回収ボックスに収納する（利用者から価値媒体５を回収する。）。
【００７２】
次に、制御ユニット１１が有する、残価値返金額算出部４１ａ、手数料金額算出部４１ｂ、および返金処理部４１ｃについて説明する。
【００７３】
残価値返金額算出部４１ａは、価値媒体５の使用可能金額記憶領域５１に記憶されている金額、手数料金額記憶領域５２に記憶されている金額、およびデポジット記憶領域５３に記憶されている金額の合計金額を価値媒体５が保有している価値（残価値）として算出する。残価値返金額算出部４１ａは、価値媒体５が保有している価値に相当する外貨の金額（返却金額）を設定されている為替レートを用いて算出する。外貨の種類は、通貨記憶領域５５に記憶している外貨の種類である。残価値返金額算出部４１ａが、この発明で言う第３の算出部に相当する。
【００７４】
手数料金額算出部４１ｂは、返金金額に相当する両替手数料を設定されている手数料レートを用いて算出する。両替手数料は、内貨から外貨への両替にかかる手数料であり、外貨の金額で算出される。手数料金額算出部４１ｂが、この発明で言う第４の算出部に相当する。
【００７５】
返金処理部４１ｃは、残価値返金額算出部４１ａが算出した金額と、手数料金額算出部４１ｂが算出した金額との合計金額を返金金額とし、返金金額に応じた外貨を出金部４３に放出させる。
【００７６】
媒体回収機４の制御ユニット４１は、ハードウェアＣＰＵ、メモリ、その他の電子回路によって構成されている。ハードウェアＣＰＵが、媒体回収処理プログラムを実行したときに、残価値返金額算出部４１ａ、手数料金額算出部４１ｂ、および返金処理部４１ｃとして動作する。また、メモリは、この媒体回収処理プログラムを展開する領域や、この媒体回収処理プログラムの実行時に生じたデータ等を一時記憶する領域を有している。制御ユニット４１は、ハードウェアＣＰＵ、メモリ等を一体化したＬＳＩであってもよい。
【００７７】
なお、媒体発行機１は、発行処理に加えて、上記したチャージ処理、取引処理、または回収処理の１つ以上の処理を行う構成であってもよい。チャージ処理機２は、チャージ処理に加えて、上記した発行処理、取引処理、または回収処理の１つ以上の処理を行う構成であってもよい。ＰＯＳ端末３は、取引処理に加えて、上記したチャージ処理、発行処理、または回収処理の１つ以上の処理を行う構成であってもよい。媒体回収機４は、回収処理に加えて、少なくとも上記したチャージ処理、発行処理、または取引処理の１つ以上の処理を行う構成であってもよい。
【００７８】
＜３．動作例＞
次に、媒体発行機１、チャージ処理機２、ＰＯＳ端末３、および媒体回収機４の動作について説明する。
【００７９】
図７は、媒体発行機の発行処理を示すフローチャートである。利用者は、表示・操作部１２において、価値媒体５の発行を要求する入力操作を行い、両替する外貨を入金部１３に投入（入金）する。入金部１３が、投入された外貨を受け付ける（ｓ１）。入金部１３は、投入された外貨の種類を識別する（ｓ２）。また、ｓ２では、外貨の投入金額を算定する。
【００８０】
両替金額算出部１１ａが、今回入金された種類の外貨から内貨への為替レートに基づき、ｓ２で算定した外貨の投入金額に対する両替金額（内貨の金額）を算出する（ｓ３）。また、手数料金額算出部１１ｂが、今回入金された種類の外貨から内貨への手数料レートに基づき、ｓ２で算定した外貨の投入金額に対する両替手数料（内貨の金額）を算出する（ｓ４）。
【００８１】
更新部１１ｃは、発行する価値媒体５の使用可能金額記憶領域５１、手数料金額記憶領域５２、デポジット記憶領域５３、ポイント記憶領域５４、通貨記憶領域５５、およびカード番号記憶領域５６に記憶させる各種データを決定する（ｓ５）。
【００８２】
具体的には、ｓ３で算出した両替金額から価値媒体５の保証金の金額を減じた金額を、使用可能金額記憶領域５１に記憶させる金額に決定する。価値媒体５の保証金の金額は、予め定められている。また、ｓ４で算出した両替手数料の金額を、手数料金額記憶領域５２に記憶させる金額に決定する。また、予め定められている価値媒体５の保証金の金額を、デポジット記憶領域５３に記憶させる金額に決定する。また、ポイント記憶領域５４に記憶させるポイント数は０に決定する。また、ｓ３で識別した通貨の種類を、通貨記憶領域５５に記憶させる通貨に決定する。さらに、カード番号記憶領域５６に記憶させるカード番号を決定する。カード番号は、価値媒体５を識別するものであり、予め定められたルールで決定される。
【００８３】
更新部１１ｃは、発行部１５が今回発行する価値媒体５に、ｓ５で決定した各種データを記憶させる書き込み処理を行う（ｓ６）。具体的には、発行部１５が今回発行する価値媒体５を、近距離無線通信部１４の通信エリア内に搬送した後、更新部１１ｃが、近距離無線通信部１４を制御して、ｓ５で決定した各種データの書き込み指示を価値媒体５に送信させる。この書き込み指示を受信した価値媒体５が、使用可能金額記憶領域５１、手数料金額記憶領域５２、デポジット記憶領域５３、ポイント記憶領域５４、通貨記憶領域５５、およびカード番号記憶領域５６に、指示されたデータを記憶する。
【００８４】
発行部１５は、ｓ５で決定した各種データを記憶させた価値媒体５を利用者に対して放出し（ｓ７）、ｓ１に戻る。
【００８５】
このように、利用者は、媒体発行機１で外貨を投入することにより、発行された価値媒体５を受け取る。利用者は、媒体発行機１で内貨の通貨を受け取らない。
【００８６】
次に、チャージ処理機２のチャージ処理について説明する。図８は、チャージ処理機のチャージ処理を示すフローチャートである。このチャージ処理機２を利用する利用者は、媒体発行機１で発行された価値媒体５を所持している。チャージ処理機２は、価値媒体５を受け付ける（ｓ１１）。ｓ１１では、価値媒体５を、近距離無線通信部２４の通信エリア内に位置させる。例えば、媒体挿入口に挿入された価値媒体５を近距離無線通信部２４の通信エリア内に搬送する処理でもよいし、利用者が価値媒体５をチャージ処理機２の表面に載置する構成であってもよい。価値媒体５を載置する位置は、近距離無線通信部２４の通信エリア内である。チャージ処理機２は、ｓ１１で受け付けた価値媒体５が記憶している各種データを読み取る。
【００８７】
入金部２３が、利用者が投入した外貨を受け付ける（ｓ１２）。入金部２３は、投入された外貨の種類を識別する（ｓ１３）。また、ｓ１３では、外貨の投入金額を算定する。
【００８８】
チャージ処理機２は、ｓ１３で識別した外貨の種別と、ｓ１１で受け付けた価値媒体５の通貨記憶領域５５に記憶されている通貨の種類とが一致しているかどうかを判定する（ｓ１４）。チャージ処理機２は、ｓ１４で一致していないと判定すると、エラー処理を行い（ｓ１９）、ｓ１１に戻る。ｓ１９では、受け付けた価値媒体５、および外貨を利用者に放出し、表示・操作部２２で処理できないことを通知する画面を表示する。
【００８９】
このｓ１４、ｓ１９にかかる処理は、外貨間での両替を制限するために設けている。例えば、内貨が円である場合、ドルをユーロに両替したり、ユーロをドルに両替したりするのを制限するための処理である。後述する媒体回収機４と連携させて、外貨間での両替が行われるのを防止するための処理である。
【００９０】
チャージ処理機２は、ｓ１４で一致していると判定すると、両替金額算出部２１ａが、今回入金された種類の外貨から内貨への為替レートに基づき、ｓ１３で算定した外貨の投入金額に対する両替金額を算出する（ｓ１５）。また、手数料金額算出部２１ｂが、今回入金された種類の外貨から内貨への手数料レートに基づき、ｓ１３で算定した外貨の投入金額に対する両替手数料を算出する（ｓ１６）。ｓ１５は、上記したｓ３と同様の処理であり、ｓ１６は、上記したｓ４と同様の処理である。
【００９１】
更新部２１ｃは、受け付けた価値媒体５の使用可能金額記憶領域５１、および手数料金額記憶領域５２に記憶させる各種データを決定する（ｓ１７）。更新部２１ｃは、ｓ１５で算出した両替金額を、受け付けた価値媒体５の使用可能金額記憶領域５１に記憶されている金額に加えた金額を、使用可能金額記憶領域５１に記憶させる金額に決定する。また、更新部２１ｃは、ｓ１６で算出した両替手数料を、受け付けた価値媒体５の手数料金額記憶領域５２に記憶されている金額に加えた金額を、手数料金額記憶領域５２に記憶させる金額に決定する。更新部１１ｃは、今回受け付けた価値媒体５に、ｓ１７で決定した各種データを記憶させる書き込み処理を行い（ｓ１８）、ｓ１１に戻る。
【００９２】
更新部２１ｃは、デポジット記憶領域５３、ポイント記憶領域５４、通貨記憶領域５５、およびカード番号記憶領域５６に記憶されているデータについては書き換えない。
【００９３】
なお、チャージ処理機２は、価値媒体５を本体内部に取り込んでいる場合、ｓ１８でこの価値媒体５を放出し、利用者に返却する。
【００９４】
次に、ＰＯＳ端末３の取引処理について説明する。図９は、ＰＯＳ端末の取引処理を示すフローチャートである。ＰＯＳ端末３は、顧客が取引する商品の登録を行う（ｓ３１）。オペレータは、操作部３２の入力デバイスを操作することによって、ＰＯＳ端末３に商品コードを入力する。商品コードの入力は、商品に付されているバーコードをバーコードリーダで読み取る操作、または商品登録キーの操作で行える。商品登録処理部３１ａは、商品コードが入力された商品を、取引する商品として登録する。ｓ３１で登録される商品は１つであってもよいし、複数であってもよい。
【００９５】
ＰＯＳ端末３は、取引する商品の登録が完了すると、価値媒体５を受け付ける（ｓ３２）。ｓ３２では、価値媒体５を、近距離無線通信部３５の通信エリア内に位置させる。例えば、媒体挿入口に挿入された価値媒体５を近距離無線通信部３５の通信エリア内に搬送する処理でもよいし、利用者が価値媒体５をＰＯＳ端末３の表面に載置する構成であってもよい。価値媒体５を載置する位置は、近距離無線通信部３５の通信エリア内である。ＰＯＳ端末３は、ｓ３２で受け付けた価値媒体５が記憶している各種データを読み取る。
【００９６】
ＰＯＳ端末３は、受け付けた価値媒体５が保有している価値で取引金額を精算できるかどうかを判定する（ｓ３３）。ＰＯＳ端末３は、受け付けた価値媒体５が保有している価値で取引金額を精算できないと判定すると、取引を中止するエラー処理を行い（ｓ４１）、ｓ３１に戻る。
【００９７】
ＰＯＳ端末３は、受け付けた価値媒体５が保有している価値で取引金額を精算できると判定すると、取引金額の精算にポイントを使用するかどうかを判定する（ｓ３４）。ポイントを使用するかどうかは、オペレータが利用者に確認し、確認結果を操作部３２において入力する。ＰＯＳ端末３は、取引金額の精算にポイントを使用すると判定すると使用ポイント数を受け付ける（ｓ３５）。
【００９８】
精算処理部３１ｂは、今回の取引にかかる精算金額を確定する（ｓ３６）。ｓ３６では、ポイントを取引金額の精算に使用しない場合、取引金額を精算金額に確定する。また、ポイントを取引金額の精算に使用する場合、取引金額から、ｓ３５で受け付けたポイント数に応じた金額を減じた金額を精算金額に確定する。
【００９９】
また、精算処理部３１ｂは、今回の取引で利用者に付与するポイント数を算出する（ｓ３７）。ポイント数は、例えばｓ３６で確定された精算金額に基づいて算出される。
【０１００】
また、精算処理部３１ｂは、今回の精算金額に対する両替手数料を算出する（ｓ３８）。ｓ３８では、今回受け付けた価値媒体５の通貨記憶領域５５に記憶している種類の通貨から内貨に両替するときの手数料レートを用いて、今回の精算金額に対する両替手数料を算出する。
【０１０１】
精算処理部３１ｂは、取引金額を精算する精算処理を行う（ｓ３９）。ｓ３９では、価値媒体５の使用可能金額記憶領域５１に記憶している金額を、ｓ３６で確定した精算金額を減じた金額に更新する。また、価値媒体５の手数料金額記憶領域５２に記憶している金額を、ｓ３８で算出した手数料金額を減じた金額に更新する。さらに、価値媒体５のポイント記憶領域に記憶しているポイント数を、ｓ３７で算出した付与ポイント数から、ｓ３５で受け付けた使用ポイント数を減じたポイント数（負値であるもある。）を加算したポイント数に更新する。
【０１０２】
ＰＯＳ端末３は、ｓ３９にかかる精算処理が完了すると、印字部３４において取引内容を印字したレシートを発行し（ｓ４０）、ｓ３１に戻る。
【０１０３】
このように、ＰＯＳ端末３は、取引金額を価値媒体５で精算できる。また、利用者は、上記したように、媒体発行機１において外貨を入金することによって、価値媒体５を取得できる。また、利用者は、取引金額の精算に使用することができる、使用可能金額記憶領域５１に記憶されている金額が少なくなると、チャージ処理機２において、外貨を入金することで、使用可能金額記憶領域５１に記憶されている金額を補充できる。すなわち、利用者は、内貨の貨幣を持つことなく、取引金額の精算が行える。
【０１０４】
また、上記の説明から明らかなように、ｓ３６で確定された精算金額は、利用者が内貨に両替する必要があった金額である。そして、価値媒体５の手数料金額記憶領域５２に記憶している金額は、ｓ３６で確定された精算金額に対応する両替手数料を差し引いた金額に更新される。すなわち、利用者が内貨に両替する必要があった金額については、両替手数料の徴収が行われる。
【０１０５】
次に、媒体回収機４の回収処理について説明する。図１０は、媒体回収機の回収処理を示すフローチャートである。媒体回収機４は、価値媒体５を受け付ける（ｓ５１）。ｓ５１では、媒体挿入口に挿入された価値媒体５を近距離無線通信部４４の通信エリア内に搬送する。媒体回収機４は、ｓ５１で受け付けた価値媒体５が記憶している各種データを読み取る。
【０１０６】
残価値返金額算出部４１ａは、ｓ５１で受け付けた価値媒体５が保有する価値を残価値として算出する（ｓ５２）。具体的には、価値媒体５の使用可能金額記憶領域５１に記憶されている金額、手数料金額記憶領域５２に記憶されている金額、およびデポジット記憶領域５３に記憶されている金額の総和を、残価値として算出する。したがって、残価値は、内貨に両替する必要がなかった金額（価値媒体５の使用可能金額記憶領域５１に記憶されている金額、およびデポジット記憶領域５３に記憶されている金額）については、両替手数料を差し引いていない価値である。
【０１０７】
なお、ポイント記憶領域５４に記憶しているポイント数については、この例では、ｓ５２で算出する残価値に含めない構成にしている。ポイント記憶領域５４に記憶しているポイント数をｓ５２で算出する残価値に含める場合は、ポイントを内貨の金額に換算し、これを残価値に加えればよい。
【０１０８】
残価値返金額算出部４１ａは、ｓ５２で算出した残価値に相当する外貨の金額（返却金額）を設定されている為替レート（内貨から外貨への為替レート）を用いて算出する（ｓ５３）。外貨の種類は、通貨記憶領域５５に記憶している外貨の種類である。
【０１０９】
手数料金額算出部４１ｂは、返金金額に相当する両替手数料を設定されている手数料レートを用いて算出する（ｓ５４）。両替手数料は、内貨から外貨への両替にかかる手数料であり、外貨の金額で算出される。
【０１１０】
返金処理部４１ｃは、残価値返金額算出部４１ａが算出した金額と、手数料金額算出部４１ｂが算出した金額との合計金額を返金金額とし、返金金額に応じた外貨を出金部４３に放出させる（ｓ５６）。すなわち、返金金額は、内貨から外貨への両替にかかる手数料も差し引かれていない金額である。したがって、利用者は、外貨から内貨への両替を頻繁に繰り返えさなくても、両替手数料が抑えられる。これにより、利用者の利便性が向上される。
【０１１１】
回収部４５が、ｓ５１で受け付けた価値媒体５を回収し（ｓ５７）、ｓ５１に戻る。
【０１１２】
このように、この例にかかる外貨処理システム１００では、利用者は内貨の貨幣を使用しなくてもよい。また、価値媒体５の保証金を、発行時に利用者から預かり、回収時に利用者に返金するようにしているので、価値媒体５を効率的に回収できる。これにより、価値媒体５をリサイクルできるので、運用コストを抑えられる。
【０１１３】
なお、図７〜図１０に示したフローチャートは、一例であり、必要に応じて各処理の順番を入れ替えてもよい。
【０１１４】
＜４．変形例＞
図１１は、外貨処理システムの別の例を示す図である。この例の外貨処理システム１００Ａでは、センタサーバ８を設け、媒体発行機１、チャージ処理機２、ＰＯＳ端末３、および媒体回収機４をセンタサーバ８に接続した構成である。
【０１１５】
また、この例では、センタサーバ８が、その時点で発行している価値媒体５毎に、カード番号に、使用可能金額、手数料金額、保証金、ポイント数、通貨の種類を対応づけて記憶している。すなわち、センタサーバ８が、上記の例で価値媒体５が使用可能金額記憶領域５１、手数料金額記憶領域５２、デポジット記憶領域５３、ポイント記憶領域５４、通貨記憶領域５５、およびカード番号記憶領域５６に記憶していたデータを記憶している。一方、価値媒体５は、カード番号を記憶している。
【０１１６】
この変形例においても、媒体発行機１、チャージ処理機２、ＰＯＳ端末３、および媒体回収機４は、上記の例と同様の処理を行うのであるが、価値媒体５の各種データの読み取りをセンタサーバ８に対する問い合わせで行い、価値媒体５に対する各種データの更新をセンタサーバ８に対する更新要求で行う点で相違する。各機器は、価値媒体５から、近距離無線通信でカード番号を読み取る。
【０１１７】
また、この変形例の外貨処理システム１００Ａは、利用者に対して価値媒体５を発行せず、利用者が所有しているスマートフォン等の携帯端末に、利用者番号（上記の例におけるカード番号に相当する。）を示す２次元バーコード等を送信し、利用者は携帯端末の表示器にこの２次元バーコードを表示させて、媒体発行機１、チャージ処理機２、ＰＯＳ端末３、および媒体回収機４に読み取らせる構成にしてもよい。
【０１１８】
さらに、この変形例の外貨処理システム１００Ａは、インタネット等を介して買い物をする、オンラインショッピングでの取引金額の精算に、価値媒体５を利用できるようにしてもよい。
【０１１９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１２０】
さらに、この発明に係る構成と上述した実施形態に係る構成との対応関係は、以下の付記のように記載できる。  
＜付記＞
第１の種類の通貨として使用される第１の価値、および前記第１の価値の使用を担保する第２の価値を保有する価値媒体（５）を処理する価値媒体処理装置（１００）であって、
第１の種類の通貨と前記第１の種類とは異なる第２の種類の通貨との間における両替に対して設定されている為替レートに基づき、前記第２の種類の通貨での入金金額に対応する前記第１の価値を算出する第１の算出部（２１ａ）、
前記第１の種類の通貨と前記第２の種類の通貨との間における両替に対して設定されている手数料レートに基づき、前記第２の種類の通貨での入金金額に対応する前記第２の価値を算出する第２の算出部（２１ｂ）、および、
前記価値媒体（５）が保有する前記第１の価値を、前記第１の算出部（２１ａ）が算出した前記第１の価値を加算した値に更新し、前記価値媒体が保有する前記第２の価値を、前記第２の算出部（２１ｂ）が算出した前記第２の価値を加算した値に更新する更新部（２１ｃ）、
を有する第１ユニット（２）と、
前記価値媒体（５）が保有する合計価値に対応する、前記第２の種類の通貨での金額を前記為替レートに基づいて算出する第３の算出部（４１ａ）、
前記価値媒体（５）が保有する前記合計価値に対応する、前記第２の種類の通貨での金額を前記手数料レートに基づいて算出する第４の算出部（４１ｂ）、および、
前記第３の算出部（４１ａ）が算出した金額と、前記第４の算出部（４１ｂ）が算出した金額との合計金額を前記第２の種類の通貨で返金する返金部（４１ｃ）、
を有する第２ユニット（４）と、
を備えた価値媒体処理装置（１００）。
【符号の説明】
【０１２１】
１…媒体発行機
２…チャージ処理機
３…ＰＯＳ端末
４…媒体回収機
５…価値媒体
８…センタサーバ
１１…制御ユニット
１１ａ…両替金額算出部
１１ｂ…手数料金額算出部
１１ｃ…更新部 
１２…操作部
１３…入金部
１４…近距離無線通信部
１５…発行部
２１…制御ユニット
２１ａ…両替金額算出部
２１ｂ…手数料金額算出部
２１ｃ…更新部
２２…操作部
２３…入金部
２４…近距離無線通信部
３１…制御ユニット
３１ａ…商品登録処理部
３１ｂ…精算処理部
３２…操作部
３３…表示部
３４…印字部
３５…近距離無線通信部
４１…制御ユニット
４１ａ…残価値返金額算出部
４１ｂ…手数料金額算出部
４１ｃ…返金処理部
４２…操作部
４３…出金部
４４…近距離無線通信部
４５…回収部
５０…ＩＣメモリ
５１…使用可能金額記憶領域
５２…手数料金額記憶領域
５３…デポジット記憶領域
５４…ポイント記憶領域
５５…通貨記憶領域
５６…カード番号記憶領域
１００、１００Ａ…外貨処理システム
【図１】
2020149198.tif 000003
【図２】
2020149198.tif 000004
【図３】
2020149198.tif 000005
【図４】
2020149198.tif 000006
【図５】
2020149198.tif 000007
【図６】
2020149198.tif 000008
【図７】
2020149198.tif 000009
【図８】
2020149198.tif 000010
【図９】
2020149198.tif 000011
【図１０】
2020149198.tif 000012
【図１１】
2020149198.tif 000013